(57)【要約】【課題】帯電した人体が液体燃料燃焼暖房機の筐体に接触したり、温風吐出口の掃除等で静電気が発生しても、筐体に帯電した静電気をすぐに放出していつも一定量のマイナスイオン室内に放出し続けることができるようにする。【解決手段】液体燃料燃焼暖房機の筐体１に放電式マイナスイオン発生装置２０を具備したものにおいて、前記筐体１の外郭底部にカラー鋼板より接触抵抗の小さい導電性の導電手段２５を設け、この導電手段２５を筐体１内部または筐体１外郭の金属構成物に電気的に接続し、筐体１を設置した時、前記導電手段２５が設置床面に接触させる。【選択図】　図２
2004116922.tif 000002
【特許請求の範囲】
【請求項１】
液体燃料燃焼暖房機の筐体（１）に放電式マイナスイオン発生装置（２０）を具備したものにおいて、前記筐体（１）の外郭底部に導電手段（２５）を設け、この導電手段（２５）を筐体（１）内部または筐体（１）外郭の金属構成物に電気的に接続し、筐体（１）を設置した時、導電手段（２５）が設置床面に接触することを特徴とする液体燃料燃焼暖房機。
【発明の詳細な説明】
【０００１】
【発明の属する技術分野】
本発明は、放電式マイナスイオン発生装置を具備した液体燃料燃焼暖房機（以下石油ファンヒータという）に関するものである。
【０００２】
【従来の技術】
【特許文献１】
特開平１１−２１１２３６号公報
石油ファンヒータは石油燃料をガス化し、それを燃焼させることにより発生した熱を送風ファンによって筐体外に排出し、居室などの暖房を行なう機器である。
【０００３】
近年、この石油ファンヒータに快適性を増す目的で、マイナスイオンを発生させる装置を内蔵することが考えられており、このマイナスイオン発生器を内蔵したものとして特開平１１−２１１２３６号公報が公知である。
【０００４】
このものは、多数の通気孔を有する収納体のなかに角閃石その他のセラミックスを混合したものを収納してマイナスイオン発生器を構成し、これを筐体前面の温風吹出口より内側の送風経路に設置し、このマイナスイオン発生器に温風を接触させて室内に放出するものである。
【０００５】
しかしこのものは、マイナスイオンの発生量が少なく、快適性を増す効果に疑問があるため、これに代わるものとして針状の電極に高電圧を印加することによりマイナスイオンを発生させる放電式マイナスイオン発生器の実用化が検討されている。
【０００６】
【発明が解決しようとする課題】
前記した放電式マイナスイオン発生器は、電極からマイナスイオンが発生し、そのマイナスイオンを室内に放出するものであるため、その電極は筐体内部で、かつ、筐体外郭に近い部分に取り付けられることが考えられる。
【０００７】
しかし、マイナスイオンは筐体内部から筐体外部へ放出される際に筐体が何らかの理由で帯電した場合、放出されるマイナスイオンは筐体の持っている電荷と中和してしまい、マイナスイオンとして筐体外に放出されなくなってしまう。特に暖房機を必要とする冬の太平洋側は乾燥しているため、静電気が起き易く、帯電した人体で石油ファンヒータを操作したり掃除したりすると石油ファンヒータも帯電し易い。
【０００８】
また、石油ファンヒータの筐体外郭は製作面、コスト面からカラー鋼板が使用されているが、鋼板表面が絶縁物に近い塗料で覆われているため、除電もされにくくなっている。
【０００９】
【課題を解決するための手段】
このため本発明では、液体燃料燃焼暖房機の筐体に放電式マイナスイオン発生装置を具備したものにおいて、前記筐体の外郭底部に導電手段を設け、この導電手段を筐体内部または筐体外郭の金属構成物に電気的に接続し、筐体を設置した時、導電手段が設置床面に接触するようにしたものである。
【００１０】
これによって、筐体を設置した時、導電手段が設置床面に接触して筐体に帯電した電荷をすみやかに除電するものである。
【００１１】
【発明の実施の形態】
以下、本発明の一実施例を、添付図面を用いて詳細に説明する。
【００１２】
図１、図２は、本発明に係る石油ファンヒータの概略構造を示すもので、１は石油ファンヒータと呼ばれる燃焼温風暖房機の筐体で、一般的には製作面、コスト面からカラー鋼板が使用され、また、鋼板表面は絶縁物に近い塗料で覆われている。２はこの筐体１内の下部に備えられたバーナ、３は灯油を気化させる気化器、４はこの気化器３を加熱するヒータである。
【００１３】
８は油受皿、１９はこの油受皿１７に灯油を供給する給油タンクである。
【００１４】
５は油受皿８内の灯油を気化器３に送り込むポンプ、６は気化器３の先端に取り付けられた噴出ノズル、１８はこの噴出ノズル６を開閉する電磁弁、９はバーナ２に燃焼用の空気を送り込むとともに、燃焼によって発生した高温ガスを筐体１外へ送り出す送風ファンで、筐体１の背面に取り付けられている。
【００１５】
１０は温風室で、バーナ２の上部を覆うように設置され、送風ファン９から供給される送風とバーナ２で発生した高温燃焼ガスとの混合が行なわれて温風化するところである。
【００１６】
１２はこの温風室１０で発生した温風が吐き出される温風吐出口（ルーバー）で、筐体１の前面に取り付けられている。
【００１７】
１３は筐体１の上面部に設けられた操作パネルで、図３に示す運転開始指示装置１４、運転停止指示装置１５、室温設定装置１６、設定室温や実際室温等を表示するための運転状態表示器１７が組み込まれている。
【００１８】
７は気化器３の温度を検知する気化器温度検知素子、２１はバーナ２に生じた炎に接することにより炎の存在を検知する炎状態検知装置、２２はバーナ２に点火する点火器である。
【００１９】
２０は筐体１の前面内壁に取り付けられた放電式マイナスイオン発生装置で、電極（図示せず）からマイナスイオンが発生し、そのマイナスイオンを室内、すなわち筐体１外に放出するものである。
【００２０】
２４は筐体１の外郭底部を構成する金属材料のベースで、筐体１と同様にカラー鋼板が使用され、また、鋼板表面は絶縁物に近い塗料で覆われている。
【００２１】
２５は導電手段で、筐体１を構成するカラー鋼板より接触抵抗の小さい導電ゴムや炭素入りプラスチック等よりなり、下面に複数個の弾力性のある突起２５ａを形成している。そして、この導電手段２５は筐体１の外郭底部を構成する金属材料のベース２４の側面に突起２５ａがベース２４の底面より幾分下に突出するように固定ネジ２６により固定され、この固定ネジ２６を介して筐体１の内部または筐体外郭の金属構成物と電気的に導通するようになっている。
【００２２】
図３は本実施例の制御系統を説明したもので、２３は中央制御装置（マイコン）であり、その入力側にはすでに説明した運転開始指示装置１４、運転停止指示装置１５、室温設定装置１６、炎状態検知装置２１、気化器温度検知素子７及び室温検知装置２７が接続され、出力側にはヒータ４、ポンプ５、送風ファン９、電磁弁１８、運転状況表示器１７、点火器２２及びマイナスイオン発生装置２０が接続されている。
【００２３】
このような構成において、運転開始指示装置１４が操作されて運転の開始が指示されると、中央制御装置２３は気化器３のヒータ４への通電を開始するとともに、気化器温度検知素子７を通して気化器３の温度を検知し、その温度が燃焼開始可能温度に達すると、ポンプ５を作動させて気化器３内の圧力を高め、気化ガスを噴出ノズル６から噴出させる。同時に、点火器２２を作動させてバーナ２に火炎を生成させる。そして炎状態検知装置２１によって炎の存在が確認されたときは、送風ファン９を作動させて温風室１０へ送風し、発生した温風を温風吐出口１２を介して筐体１外へ放出する。
【００２４】
燃焼が開始された後は、中央制御装置２３は気化器３が正常な燃焼を維持するのに必要な温度に維持されるよう、気化器温度検知素子７の信号を監視しながらヒータ４を制御する。
【００２５】
そして、室温設定装置１６によって設定された室温になるように中央制御装置２３はポンプ５の駆動出力を高めて燃焼出力を増やし、一定室温の維持を目指す。逆に室温が高い場合は、中央制御装置２３はポンプ５の駆動出力を低下させて燃焼出力を落し、一定室温の維持を目指す。
【００２６】
一方、マイナスイオン発生装置２０は燃焼に同期して作動し、その電極間で発生したマイナスイオンを温風に乗せて部屋中央に運び、採暖者に快適性を与える。
【００２７】
一方、帯電した人体や温風吐出口１２の掃除等によって発生する静電気は、筐体１の内部から筐体１の外郭底部を構成する金属構成物のベース２４、同じく金属構成物の固定ネジ２６及び導電手段２５に伝わり、導電手段２５の下面の突起２５ａを経て設置床面に放出される。
【００２８】
【発明の効果】
以上説明したように、本発明によれば、液体燃料燃焼暖房機の筐体に放電式マイナスイオン発生装置を具備したものにおいて、前記筐体外郭底部に導電手段を設け、この導電手段は筐体内部または筐体外郭の金属構成物に電気的に接続し、筐体を設置した時、導電手段が設置床面に接触するようにしたので、帯電した人体で石油ファンヒータを操作したり、温風吐出口周辺を掃除の際に拭いたときなどに帯電しても筐体底部の導電手段を介して静電気をすぐ放出することが出来、いつも一定量のマイナスイオン室内に放出し続け、室内を快適に保つものである。
【図面の簡単な説明】
【図１】本発明の一実施例の概略構成を示す断面図である。
【図２】本発明の外郭底部の概略構成を示す説明図である。
【図３】本発明の燃焼部の概略構成を示す説明図である。
【図４】本発明の制御回路のブロック図である。
【符号の説明】
１　筐体
２　バーナ
９　送風ファン
１２　温風吐出口
１４　運転開始指示装置
１５　運転停止指示装置
１６　室温設定装置
１７　運転状態表示器
２０　マイナスイオン発生装置
２３　中央制御装置（マイコン）
２４　ベース
２５　導電手段
２５ａ突起
２６　固定ネジ
【図１】
2004116922.tif 000003
【図２】
2004116922.tif 000004
【図３】
2004116922.tif 000005
【図４】
2004116922.tif 000006